(57)【特許請求の範囲】
【請求項１】
被包装部材を収納する中空直方体形状の外装と、
前記外装内部に前記被包装部材を挿入する開口部と、
前記開口部の一辺に設けられ、山型に折り曲げる折曲部と前記開口部に対向する前記外装の側面に取り付けられる端部を有する蓋部とを具備し、
前記蓋部が、前記開口部を覆う方向に折曲げられ、前記蓋部の設けられた前記開口部の一辺に対向する他辺へ前記折曲部を前記外装内部に折曲げて挿入して組み立てられることにより包装用として機能し、かつ、前記蓋部が、前記開口部を覆わない方向に折曲げられ、前記折曲部を山型に折り返して前記外装の外周に曲げられて組み立てられることにより前記外装の前記開口部を有する面と前記蓋部の蓋板を底面として直立する据え置き陳列用として機能することを特徴とする包装用箱。
【請求項２】
前記開口部に対向する前記外装の側面は、たすき状に折込んで組立てられることにより異なる方向に一組の隙間を有し、及び、前記蓋部の端部は、前記異なる方向に設けられた一組の隙間にそれぞれ挿入される一組の舌片を有し、
前記蓋部が前記開口部を覆う場合は、前記一組の舌片の一方が前記一組の隙間の一方に挿入されて前記蓋部が前記外装の側面に取付けられ、
前記蓋部が前記開口部を覆わない場合は、前記一組の舌片の他方が前記一組の隙間の他方に挿入されて前記蓋部が前記外装の側面に取付けられることを特徴とする請求項１記載の包装用箱。
【請求項３】
前記蓋部は、前記蓋部の一部を前記開口部の方向に山型に折曲げる付加領域を有し、前記折曲部は前記付加領域からなることを特徴とする請求項１記載の包装用箱。
【請求項４】
前記蓋部の表面は、前記蓋部が前記開口部を覆うように前記外装に取付けられた場合に、前記外装内部に収納された被包装部材の販売用の表示を設けていることを特徴とする請求項１記載の包装用箱。
【請求項５】
前記蓋部の裏面は、前記蓋部が前記開口部を覆わない方向で前記外装に取付けられた場合に、前記外装内部に収納された被包装部材の展示用の表示を設けていることを特徴とする請求項１記載の包装用箱。
【請求項６】
前記外装は、前記蓋部の前記折曲部が挿入される開口部に、補強片を備えたことを特徴とする請求項１記載の包装用箱。
【請求項７】
前記外装は、前記蓋部が前記開口部を覆うように前記外装に取付けられた場合に前記蓋部で覆われる外装の表面に、前記外装内部に収納された被包装部材の取扱に関する情報を表示することを特徴とする請求項１記載の包装用箱。
【発明の詳細な説明】
【技術分野】
【０００１】
本発明は、パーソナルコンピュータに外付けする光ディスク装置、ＣＤプレーヤ、オーディオプレーヤ等の比較的小型の電子機器を包装するのに好適な包装用箱に関するものである。
【背景技術】
【０００２】
従来、比較的小型の電子機器は製品の特徴や機能の説明や注意等を包装用箱の表面に印刷して、消費者が商品の購入時に箱の中に収められた説明書を読まなくても、箱に表示された製品の特徴や機能の説明や注意等を読むことによって製品の概略を把握できるようにした構成があった。
【０００３】
近年、かかる電子機器は多機能化が図られ電子機器の機能を説明するのに必要な情報を表示する量が増えてきている。これらの必要な情報を表示するには、包装用箱の表面積によってのみでは印刷量が規制されるために、表示面積を増加させるために包装用箱を形成する側壁に表示片部を連設させて表示面積を増やす構成があった（例えば特許文献１参照）。
【０００４】
また、包装用箱を単に包装用箱として使用するだけでなく、包装用箱の外装を利用して消費者の目に留るような宣伝効果をもたらした包装用箱として利用することができる。このような利用の方法の一例として、出荷元にて供給する単一種類の包装箱でもって、配送に適した梱包とし、商品の販売のときは、宣伝効果をもつように陳列する機能に転換・対応させる構成があった（例えば特許文献２参照）。
【０００５】
図１０は、（特許文献１）に記載された従来の包装用箱の一例を示す図である。
【０００６】
図１０において、包装内容物を保管しておく包装用箱に消費者に必要な情報を充分に表示することができる表示片８０５は、包装壁を形成する側壁８０１に連接され、連接された舌片部８０７ａを包装側壁に設けた差込部８３１に差込んで表示片８０５を包装用箱に係止していた。
【０００７】
また、図１１は、（特許文献２）に記載された従来の包装用箱の一例を示す図である。
【０００８】
図１１において、複数の側面部のうちの１つの側面部の底面位置から下方に延長されたフラップ部９０１を備え、箱体は展開したとき１つにつながっており、フラップ部９０１は１つの側面部の底面位置で反転屈曲されて１つの側面部表面に重ね合わされ、上面部から突出した部分の表面に表示部９０２が設けられている構成としている。
【特許文献１】特開平１０−２５０７１８号公報
【特許文献２】特開平１０−２９７６２５号公報
【発明の開示】
【発明が解決しようとする課題】
【０００９】
しかしながら、（特許文献１）に示す構成は、消費者に必要な情報を十分に表示することができる表示片を包装用箱の側片に設ける構成であり、配送に適した梱包ならびに店頭での展示陳列等に転換・対応させることはできない。
【００１０】
また、（特許文献２）に示す構成は、表示片部を有して、店頭での展示陳列に適しているが、表示片部は側面部の底面位置で反転屈曲されて側面部表面に重ね合わせられる構成であり、表示面積が充分には確保できない課題があった。
【００１１】
本発明は、出荷元にて供給する単一種類の包装箱でもって、消費者に必要な情報を十分に表示することができ、かつ配送に適した梱包および店頭での据え置き陳列の機能に転換・対応させることができる包装用箱の提供を目的とする。
【課題を解決するための手段】
【００１２】
かかる課題を解決するため本発明は、山型に折り曲げる折曲部と開口部に対向する外装の側面に取り付けられる端部を有する蓋部とを具備し、蓋部が、開口部を覆う方向に折曲げられ、蓋部の設けられた開口部の一辺に対向する他辺へ折曲部を外装内部に折曲げて挿入して組み立てられることにより包装用として機能し、かつ、蓋部が、開口部を覆わない方向に折曲げられ、折曲部を山型に折り返して外装の外周に折曲げ組み立てられることにより据え置き陳列用として機能することを特徴とする包装用箱である。
【発明の効果】
【００１３】
本発明の包装用箱によれば、蓋部が、開口部を覆う方向に折曲げられ、蓋部の設けられた開口部の一辺に対向する他辺へ折曲部を外装内部に折曲げて挿入して組み立てられることにより包装用として機能し、かつ、蓋部が、開口部を覆わない方向に折曲げられ、折曲部を山型に折り返して外装の外周に折曲げ組み立てられることにより外装の開口部を有する面と蓋部の蓋板を底面として直立する据え置き陳列用として機能することにより、被包装部材の保護強化とともに、出荷元で供給するときは表示部を包装用箱に固定してコンパクトにして出荷し、店頭で表示するときは表示部を開いて商品のディスプレ効果を高め、従って出荷元にて供給する単一種類の包装箱でもって、配送に適した梱包および店頭での据え置き陳列の機能に転換・対応させることが可能である。
【００１４】
また、前記蓋部は、蓋部の一部である折曲部を用いて、蓋部の端部と蓋部の折曲部との２箇所によって、外装に対して固定されるので、簡易な構成により蓋部の外装に対する固定を安定させることができる。
【発明を実施するための最良の形態】
【００１５】
請求項１記載の発明は、被包装部材を収納する中空直方体形状の外装と、外装内部に被包装部材を挿入する開口部と、開口部の一辺に設けられ、山型に折り曲げる折曲部と開口部に対向する外装の側面に取り付けられる端部を有する蓋部とを具備し、蓋部が、開口部を覆う方向に折曲げられ、蓋部の設けられた開口部の一辺に対向する他辺へ折曲部を外装内部に折曲げて挿入して組み立てられることにより包装用として機能し、かつ、蓋部が、開口部を覆わない方向に折曲げられ、折曲部を山型に折り返して外装の外周に曲げられて組み立てられることにより外装の開口部を有する面と蓋部の蓋板を底面として直立する
据え置き陳列用として機能することを特徴とする包装用箱である。
【００１６】
この構成によれば、被包装部材の保護強化とともに、出荷元で供給するときは表示部を包装用箱に固定してコンパクトにして出荷し、店頭で表示するときは表示部を開いて商品のディスプレ効果を高め、従って出荷元にて供給する単一種類の包装箱でもって、配送に適した梱包および店頭での据え置き陳列の機能に転換・対応させることが可能である。
【００１７】
また、前記蓋部は、蓋部の一部である折曲部を用いて、蓋部の端部と蓋部の折曲部との２カ所によって、外装に対して固定されるので、簡易な構成により蓋部の外装に対する固定を安定させることができる。
【００２０】
請求項２記載の発明は、請求項１記載の包装用箱において、開口部に対向する外装の側面は、たすき状に折込んで組立てられることにより異なる方向に一組の隙間を有し、及び、蓋部の端部は、異なる方向に設けられた一組の隙間にそれぞれ挿入される一組の舌片を有し、蓋部が開口部を覆う場合は、一組の舌片の一方が一組の隙間の一方に挿入されて蓋部が外装の側面に取付けられ、蓋部が開口部を覆わない場合は、一組の舌片の他方が一組の隙間の他方に挿入されて蓋部が外装の側面に取付けたものである。
【００２１】
この構成によれば、外装の側面をたすき状に折込んで組立てることにより生じた隙間に、蓋部の端部を挿入して蓋部を外装に固定することにより、外装の側面に蓋部の端部を挿入するために特別にスリット等を設ける必要がないので、簡易な構成により蓋部を外装に対して固定できる。
【００２２】
また、外装の側面をたすき状に折込んで組立てることにより、異なる方向に開口する２つの隙間が前記外装の側面に生ずる。従って、蓋部の端部に一組の舌片を設けるだけで、蓋部が開口部を覆う場合と蓋部が開口部を覆わない場合との双方の場合において、蓋部の外装に対する取付けが、蓋部の端部に設けられた一組の舌片の外装の側面の隙間への挿入によりなされる。その結果、双方の場合において、簡易な構成により蓋部の外装に対する取付けを行うことができる。
【００２３】
請求項３記載の発明は、請求項１記載の包装用箱において、蓋部は、蓋部の一部を開口部の方向に山型に折曲る付加領域を有し、折曲部は付加領域からなるものである。
【００２４】
この構成によれば、折曲部を山型に折曲る付加領域とすることにより、前記折曲部の山型形状の頂点は狭い隙間に挿入が容易となるので、被包装部材が外装に挿入された場合に前記外装の開口部と被包装部材との間の隙間が狭い場合でも、前記折曲部を容易に開口部に挿入することができる。
【００２５】
請求項４記載の発明は、請求項１記載の包装用箱において、蓋部の表面は、蓋部が開口部を覆うように外装に取付けられた場合に、外装内部に収納された被包装部材の販売用の表示部を設けたものである。
【００２６】
この構成によれば、外装内部に収納された被包装部材の写真、イラストおよび被包装部材の特長などを蓋部の表面に表示できるようになり、外装内部の被包装部材を包装したとき、店頭での陳列で消費者の目にとまるように、外観や特長などの表示ができるので、宣伝効果を上げることができるようになる。
【００２７】
請求項５記載の発明は、請求項１記載の包装用箱において、蓋部の裏面は、蓋部が開口部を覆わない方向で外装に取付けられた場合に、外装内部に収納された被包装部材の展示用の表示を設けたものである。
【００２８】
この構成によれば、被包装部材の包装の形態に加えて、店頭での宣伝用箱として直立させて保持した形態で表示するように形態を転換させることができるので、店頭の離れたところからもきれいな大きい表示部が目立つようにでき、さらに宣伝効果を上げることができるようになる。
【００２９】
請求項６記載の発明は、請求項１記載の包装用箱において、外装は、蓋部の折曲部が挿入される開口部に、補強片を備えたものである。
【００３０】
この構成によれば、蓋部の折曲部が挿入されるとき、外装のたわみを防止することができるようになるので、蓋部を固定する強度が増して被包装部材が外装から外に出るのをさらに防ぐことができるようになる。
【００３１】
請求項７記載の発明は、請求項１記載の包装用箱において、外装は、蓋部が開口部を覆うように外装に取付けられた場合に蓋部で覆われる外装の表面に、外装内部に収納された被包装部材の取扱に関する情報を表示するものである。
【００３２】
この構成によれば、蓋部で外装内部に収納された被包装部材の取扱に関する表示を保護できるので、必要なときにだけ蓋部を開くことで外装に表示された被包装部材に関する特長や、使用方法、接続方法、動作環境などを参照することができるようになるので、表示部の汚損を防ぐことができるようになる。
【００３３】
以下、本発明を実施する最良の形態について、図面を参照しながら説明する。
【００３４】
（実施の形態）
図1は、本発明の実施の形態に係わる包装用箱の斜視図である。
【００３５】
図１において、１０１は包装用箱、１０２は外装、１３０は蓋部、１１９は開口部、３０１は被包装部材であり、蓋部１３０は、蓋板１０３、係止片１０４、連結片１０５、表示片１０６、一組の舌片１０７（１０７ａ、１０７ｂ）を有している。
【００３６】
図１に示すように被包装部材３０１は、外装１０２の開口部１１９から矢印のように挿入される。
【００３７】
外装１０２に挿入する被包装部材３０１は、例えば小型の電子機器などであるが、包装用箱１０１の外装１０２に直接に挿入するのではなく被包装部材３０１などを厚紙などの内装部材を保護したあとで外装１０２に収納する構成としている。このようにすることで、包装用箱１０１を取扱うときに落下や振動などによって、被包装部材３０１が破損などをするのを防止することができる。
【００３８】
被包装部材３０１が外装１０２の内部に開口部１１９から挿入されたあと、蓋部１３０で開口部１１９を閉じることで外装１０２内の被包装部材３０１が外装１０２から外に出るのを防ぐことができる。この包装の構成については、後に詳細に説明する。
【００３９】
また、包装用箱１０１に包装された被包装部材３０１を使用するために被包装部材３０１を外装１０２から取出すときには、外装１０２の開口部１１９の一辺の中央に設けた半円状の切欠１１８で、被包装部材を直接触ることができるので、被包装部材３０１を外装１０２から取出す際に取出し易い構成としている。
【００４０】
図２は、本発明の実施の形態に係わる包装用箱を覆う蓋部を説明する図である。
【００４１】
図２において、蓋部１３０は、外装１０２の開口部１１９の一辺１２１に設けた蓋部１３０から、開口部１１９の一辺１２１に対向する一辺１２２へ係止片１０４と連結片１０５を開口部１１９側に山型になるように折曲て、開口部１１９を閉じるようにしている。
【００４２】
蓋部１３０は、外装１０２の開口部１１９の一辺１２１に設けられ開口部１１９を覆い開口部１１９に対向する外装の底部１０８ｂまたは１０８ｄ部に設けた隙間（後述）に舌片１０７ａまたは１０７ｂを取付け固定する。
【００４３】
また、蓋部１３０は、開口部１１９の一辺に設けられた蓋板１０３に対向する他辺へ外装１０２内部に折曲げて挿入される付加領域である折曲部、係止片１０４、連結片１０５を有する。
【００４４】
図３は、本発明の実施の形態に係わる蓋部を山型に折曲て挿入する開口部の断面拡大図である。
【００４５】
図３に示すように、外装１１３ｄの開口部１１９には補強片１１６を有しており、蓋片１０３で外装１０２を閉じるときに外装１１３ｄがたわみなどを発生させないように補強している。
【００４６】
係止片１０４と連結片１０５とは、被包装部材３０１と補強片１１６との間に山型に挿入するようにしているので、狭い隙間でも挿入し易い構成としている。
【００４７】
蓋部１３０の固定に関しては、一組の舌片部１０７を用いて外装１０２の開口部１１９に対向する底部１０８の隙間部１１７を用いて固定する構成としているが、この構成に関しては、後に包装用箱１０１の使用形態ごとに説明する。
【００４８】
図４は、本発明の実施の形態に係わる包装用箱の展開図である。
【００４９】
図４に示すように、包装用箱１０１は１枚の厚紙または段ボールを折曲げて製作する構成である。
【００５０】
図４おいて点線示す線は折曲線であり、この折曲線で折りながら包装用箱１０１を完成させる。
【００５１】
図４おいて、２線ハッチングで示す部分が蓋部１３０、ハッチングなしの部分が外装１０２である。
【００５２】
蓋部１３０は、蓋板１０３、係止片１０４、連結片１０５、表示片１０６、舌片１０７を有している。また、外装１０２は、側壁１１３ａ、１１３ｂ、１１３ｃ、１０４ｄと底部１０８ａ、１０８ｂ、１０８ｃ、１０８ｄ、１０８ｅ、１０８ｆと中蓋１１４ａ、１１４ｂおよび補強片１１６を有している。
【００５３】
図４の展開図に示す厚紙を組立てる手順を説明する。
【００５４】
図５は、本発明の実施の形態に係わる折曲線に従って折込む外装１０２の組立ての一例を示す図である。
【００５５】
図５において、底部１０８ａは折曲線３１２で外装１０２の内側方向へ折曲げられ、側壁１１３ａが折曲線３１１で側壁１１３ｂ側へ折り曲げられる。そして底部１０８ａの下側から外装１０２の内側に向かって底部１０８ｂが折曲線３１３で折り曲げ糊しろ部１０８ｅで底部１０８ａと底部１０８ｂとが固定される。
【００５６】
同様にして、底部１０８ｃと底部１０８ｄとが固定され、底部の噛合せ部１０９ａと１０９ｂとがたすき状に噛合せて折込まれ、糊しろ１１５と側壁１１３ａが接着されて外装１０２とする。その後、補強片１１６を折曲線３１７で外装の内側の側壁１１３ｄ側に矢視Ｄの方向に折り曲げられる。このとき補強片１１６と側壁１１３ｄとは接着剤で固定してもよい。このようにすることで、切欠き１１８が半円状となる。
【００５７】
図６は、本発明の実施の形態に係わる外装部分の図である。図６（ａ）は上面図、図６（ｂ）は平面図である。
【００５８】
図６に示すように、底部１０８ｂと１０８ｄとは噛合せ部１０９でたすき状に噛合せられている。このように噛合せることで、異なる方向に一組の隙間１１７ａ、１１７ｂを形成する。
【００５９】
外装１０２には被包装部材３０１を挿入する開口部１１９を有し、被包装部材３０１を挿入したあと蓋板１０３を閉じて被包装部材３０１を包装し保護する。
【００６０】
図７は、本発明の実施の形態に係わる蓋板１０３を閉じた状態の包装用箱１０１の側面図を示す。
【００６１】
図７に示す外装１０２の蓋板１０３の開口部１１９側の閉じ位置１１１を中心として、表示片１０６が矢印Ｃのように自在に回転させることができる。従って、包装用箱１０１の使用形態に応じて表示片１０６の位置を回転させて、必要な情報を表示させることができる。
【００６２】
表示片１０６は表示面積を増加するため有用で、両面に製品の特徴や機能の説明や注意等、製品の広告表示をしており、包装用箱１０１の使用態様に応じて蓋板１０３の閉じ位置１１１を中心として所望に回転させて必要な表示部分を表示させることができるようになっている。例えば、輸送用の梱包形態や、店頭での表示用形態などで表示部分を変更することができる。
【００６３】
表示片１０６と連結して一組の舌片１０７（１０７ａ、１０７ｂ）が設けられており、包装用箱１０１の使用形態に合わせて舌片１０７（１０７ａ、１０７ｂ）を選択して、表示片１０６の固定用として使用したり、店頭でのきれいなイラストなどの表示用として使用できる。
【００６４】
図８は、本発明の実施の形態に係わる第１の包装転換態様の斜視図である。
【００６５】
図８では、包装梱包や輸送時の包装に適した態様である。
【００６６】
図８（ａ）において、被包装部材３０１が外装１０２の開口部１１９から収納されたあと、蓋部１３０を閉じる。このとき、蓋部１３０の表示部１０６は、開口部の一辺１１１を中心に自由に回転できる。
【００６７】
次に、舌片１０７ｂを図８（ｂ）に示すように、表示部１０６側へ折曲げ線３１８で折曲げる。
【００６８】
そして、図８（ｃ）に示すように、舌片１０７ｂは折曲げた状態で、表示片１０６が矢印Ｄの方向に外装の側壁１０３ｄを覆うようにして、舌片１０７ａを底部１０８ａの隙間１１９ａに向かって挿入する。
【００６９】
その後、図８（ｄ）に示すように舌片１０７ａを低部１０８ａの隙間１１９ａの奥まで挿入して蓋部１３０を固定する。
【００７０】
これにより、蓋部１３０が外装１０２の開口部１１９と、底部１０８ａの隙間部１１９ａの２カ所で固定することができるので、蓋部１３０の固定が強化されて、被包装部材が外装１０２から外に出るのを防ぎ、被包装部材３０１の保護を強化できる。
【００７１】
このとき前述のように係止片１０４および連結片１０５が開口部１１９から包装用箱１０１の内部に向かって山型になるように折曲げて挿入されたあと、表示片１０６を外装１０２の外壁１１３ｄを覆うように当てて、舌片１０７ａを外装１０２の底部１０８ａの隙間部１１７ａを舌片挿入部として挿入して固定される。また舌片１０７ｂは、外装１０２の側壁１１３ｄ上で折りたたまれて配置される。
【００７２】
表示片１０６を舌片１０７ａで固定することで、包装用箱１０１を持ち運ぶときや輸送のときに表示片１０６を固定することができるので、表示片１０６傷めることをなくすることができる。
【００７３】
外装１０２の側壁１１３ｄには、被包装部材３０１に関して、例えば、光ディスク装置などを収納するときには、被製品に関する特長や、収納アプリケーション、パソコンとの接続方法、付属品、動作環境などを表示することができ、消費者が内部の取扱説明書を読まなくても表示片１０６を開くだけで必要な情報を知ることができるようにできる。
【００７４】
また、表示片１０６の両面には、大きな表示部を利用して、被包装部材３０１に関してのイラストや製品外観などのデザインをきれいに大きく表示することができ、店頭で消費者の目にとまるような表示部を設けることができる。
【００７５】
また、蓋部１３０で外装内部に収納された被包装部材３０１の取扱に関する表示を保護できるので、必要なときにだけ蓋部１３０の表示片１０６を開くことで外装１１３ｄに表示された被包装部材３０１に関する特長や、使用方法、接続方法、動作環境などを参照することができるようになるので表示部である外装１１３ｄの汚損を防ぐことができるようになる。
【００７６】
また、表示片１０６の舌片１０７ａ、１０７ｂの連接部には切欠１４１を備えている。これにより外装１０２に固定した表示片１０６を開くときにこの切欠１４１に指をあてることで容易に表示片１０６を開くことができるようになる。
【００７７】
図９は、本発明の実施の形態に係わる第２の包装転換態様の斜視図である。
【００７８】
図９では特に、包装用箱１０１を店頭での消費者の目にとまるような宣伝効果用に転換した態様である。図９に従って、包装の手順を説明する。
【００７９】
先ず、図９（ａ）に示すように包装用箱１０１の蓋板１０３は、外装１０２の開口部１１９を底面とし、外装１０２の開口部１１９を覆わない側に折曲げられる。
【００８０】
次に、図９（ｂ）に示すように付加領域である係止片１０４、連結片１０５を山型に折り返し、表示片１０６を矢印Ｆの方向に起こして、外装１０２の開口部１１９と対向する底部１０８に立てかけるように折曲げる。
【００８１】
そして、舌片１０７ｂを折曲げて、外装１０２の底部１０８ｂの隙間１１７ｂに向かって挿入する。
【００８２】
その後、図９（ｃ）に示すように、舌片１０７ｂは、外装１０２の底部１０８ｂの隙間１１７ｂの奥に押込み固定され、開口部１１９と蓋板１０３を底面として直立させることができる。
【００８３】
このように構成することで、底面部の面積が広がり、包装用箱１０１を直立させても安定して包装用箱１０１を展示用の包装部材として利用することができるようになる。
【００８４】
表示片１０６には、外装内部に収納された被包装部材の展示用の表示、例えば製品の外観、機能、ブランド名などを表示して店頭で商品のディスプレ効果を高め、販売促進ができるようにしている。また、舌片１０７ａにも被包装部材の特長を表示することで、さらに被包装部材の宣伝効果を高めることができるようになる。
【００８５】
なお、本発明の実施の形態では、一組の舌片１１７を底部１０８に形成した隙間１１７に挿入する構成で説明したが、外装１０２に係止穴を設けて、舌片を係止部に挿入して固定する構成でもかまわない。
【産業上の利用可能性】
【００８６】
本発明にかかる包装用箱は、被包装部材の保護強化とともに、出荷元で供給するときは表示部を包装用箱に固定してコンパクトにして出荷し、店頭で表示するときは表示部を開いて商品のディスプレ効果を高め、従って出荷元にて供給する単一種類の包装箱でもって、配送に適した梱包および店頭での据え置き陳列の機能に転換・対応させることが可能であるので、外付け型の光ディスク装置などの比較的小型である電子機器等の包装用箱として有用である。
【図面の簡単な説明】
【００８７】
【図１】本発明の実施の形態に係わる包装用箱の斜視図
【図２】本発明の実施の形態に係わる包装用箱を覆うの蓋部を説明する図
【図３】本発明の実施の形態に係わる蓋部の山型に折曲て挿入する開口部の拡大図
【図４】本発明の実施の形態に係わる展開図
【図５】本発明の実施の形態に係わる折曲線に従って折込む外装の組立ての一例を示す図
【図６】本発明の実施の形態に係わる外装部分の図
【図７】本発明の実施の形態に係わる蓋板を閉じた状態の包装用箱の側面図
【図８】本発明の実施の形態に係わる第１の包装転換態様の斜視図
【図９】本発明の実施の形態に係わる第２の包装転換態様の斜視図
【図１０】従来の包装用箱の一例を示す図
【図１１】従来の包装用箱の一例を示す図
【符号の説明】
【００８８】
１０１    包装用箱
１０２    外装
１０３    蓋板
１０４    係止片
１０５    連結片
１０６    表示片
１０７    舌片
１０８    底部
１０９    噛合せ部
１１１    閉じ位置
１１２    表示片部
１１３    側壁
１１４    中蓋板
１１５    側壁糊しろ
１１６    補強片
１１７    隙間部
１１８    切込
１１９    開口部
１４１    切欠
３０１    被包装部材
【図１】
0004830649.tif 000002
【図２】
0004830649.tif 000003
【図３】
0004830649.tif 000004
【図４】
0004830649.tif 000005
【図５】
0004830649.tif 000006
【図６】
0004830649.tif 000007
【図７】
0004830649.tif 000008
【図８】
0004830649.tif 000009
【図９】
0004830649.tif 000010
【図１０】
0004830649.tif 000011
【図１１】
0004830649.tif 000012